(57)【要約】【課題】分岐部を有するケーブルを吊り上げ建屋の床にあいている穴に通すときに、穴の縁に分岐部が引っ掛かることを防止するケーブルの分岐部保護具を提供する。【解決手段】螺旋状に形成されており、断面形状の幅寸法の値が、螺旋の中心軸Ｃ１の延伸方向における第１の端で小さく、螺旋の中心軸Ｃ１の延伸方向における第２の端に向かうにしたがって次第に大きくなっている。【選択図】図１
0003225687.tif 000002
【実用新案登録請求の範囲】
【請求項１】
螺旋状に形成されており、断面形状の幅寸法の値が、前記螺旋の中心軸の延伸方向における第１の端で小さく、前記螺旋の中心軸の延伸方向における第２の端に向かうにしたがって次第に大きくなっているケーブルの分岐部保護具。
【請求項２】
前記断面形状が三角形である請求項１に記載のケーブルの分岐部保護具。
【請求項３】
前記螺旋のピッチの値は、前記螺旋の中心軸の延伸方向における前記断面形状の寸法の値より大きくなっている請求項１または請求項２に記載のケーブルの分岐部保護具。
【考案の詳細な説明】
【技術分野】
【０００１】
本考案は、ケーブルの分岐部保護具に関する。
【背景技術】
【０００２】
ブランチケーブルは、分岐部を有するケーブルである。すなわち、ブランチケーブルは、幹線とこの幹線から分岐している分岐線とを備えたケーブルである。ブランチケーブルでは、幹線と分岐線との結線部が樹脂で構成されたモールド部で固められている。
【０００３】
従来、ブランチケーブルを建屋の床にあいている穴に通す場合には、ブランチケーブルを吊り上げ、床の下側から穴にブランチケーブルを通している。ブランチケーブルの吊り上げは、幹線の頭部のところでされる。また、ブランチケーブルを建屋の床にあいている穴に通すときに、分岐線およびモールド部も穴を通過する。
【０００４】
また、ブランチケーブルを建屋の床にあいている穴に通すときに、ブランチケーブルのモールド部等を保護することが考えられる。この保護に使用される従来の配線の保護カバーとして特許文献１に記載の保護カバーを掲げることができる。
【先行技術文献】
【特許文献】
【０００５】
【特許文献１】特開２０１０−１１６９３３号公報
【考案の概要】
【考案が解決しようとする課題】
【０００６】
ところで、ブランチケーブルのモールド部等をそのままの状態または従来の保護カバーで覆った状態で、ブランチケーブルをウインチで吊り上げ、建屋の床にあいている穴に通すときに、穴の縁にモールド部または保護カバーが引っ掛かるおそれがある。
【０００７】
本考案は、分岐部を有するケーブルを吊り上げ建屋の床にあいている穴に通すときに、穴の縁に分岐部が引っ掛かることを防止するケーブルの分岐部保護具を提供することを目的とする。
【課題を解決するための手段】
【０００８】
本考案の態様に係るケーブルの分岐部保護具は、螺旋状に形成されており、断面形状の幅寸法の値が、前記螺旋の中心軸の延伸方向における第１の端で小さく、前記螺旋の中心軸の延伸方向における第２の端に向かうにしたがって次第に大きくなっている。
【０００９】
本考案の態様に係るケーブルの分岐部保護具では、前記断面形状が三角形になっている。
【００１０】
本考案の態様に係るケーブルの分岐部保護具では、前記螺旋のピッチの値が、前記螺旋の中心軸の延伸方向における前記断面形状の寸法の値より大きくなっている。
【考案の効果】
【００１１】
本考案によれば、分岐部を有するケーブルを吊り上げ建屋の床にあいている穴に通すときに、穴の縁に分岐部が引っ掛かることを防止するケーブルの分岐部保護具を提供することができるという効果を奏する。
【図面の簡単な説明】
【００１２】
【図１】（ａ）は、本考案の実施形態に係るケーブルの分岐部保護具の概略構成を示す図であり、（ｂ）は（ａ）におけるＩＢ矢視図であって、ケーブルの分岐部保護具の断面形状を示す図である。
【図２】本考案の実施形態に係るケーブルの分岐部保護具の使用態様を示す図である。
【図３】本考案の実施形態に係るケーブルの分岐部保護具の使用態様を示す図である。
【図４】本考案の実施形態に係るケーブルの分岐部保護具の製造方法を示す図である。
【図５】本考案の実施形態に係るケーブルの分岐部保護具の製造方法を示す図である。
【図６】本考案の実施形態に係るケーブルの分岐部保護具の製造で使用される治具を概略的に示す図である。
【図７】本考案の実施形態に係るケーブルの分岐部保護具の製造で使用される治具を示す図である。
【図８】（ａ）は本考案の実施形態に係るケーブルの分岐部保護具の断面形状を示す図であり、（ｂ）〜（ｆ）は、変形例に係るケーブルの分岐部保護具の断面形状を示す図である。
【図９】本考案の実施形態に係るケーブルの分岐部保護具を使用しない場合の、ブランチケーブルの設置態様を示す図である。
【図１０】比較例に係るケーブルの分岐部保護具の使用態様を示す図である。
【考案を実施するための形態】
【００１３】
本考案の実施形態に係るケーブルの分岐部保護具（ブランチケーブルのモールド部の保護カバー）１は、図２で示すように、ブランチケーブル３の分岐部５に巻き付いて分岐部５を保護するものである。ブランチケーブル３の分岐部５は、ブランチケーブル３のモールド部７とこの近傍の部位である。
【００１４】
ケーブルの分岐部保護具１は、強度があり摩擦係数の値が小さいテフロン（登録商標）等のフッ素系樹脂で螺旋状に形成されている。より精確には、ケーブルの分岐部保護具１は、蔓巻線状に形成されている。また、ケーブルの分岐部保護具１は、弾性を備えている。
【００１５】
ケーブルの分岐部保護具１の断面形状は、図１（ｂ）、図８（ａ）で示すように、幅寸法の値が、上記螺旋状における螺旋の中心軸Ｃ１の延伸方向における第１の端で小さく、螺旋の中心軸Ｃ１の延伸方向における第２の端に向かうにしたがって次第に大きくなっている。
【００１６】
螺旋の中心軸Ｃ１は上下方向に延びている。ケーブルの分岐部保護具１の断面形状とは、螺旋の延伸方向に対して直交する平面による断面の形状である。換言すれば、ケーブルの分岐部保護具１の断面形状は、螺旋の中心軸Ｃ１を含む平面による断面の形状である。
【００１７】
ケーブルの分岐部保護具１の断面形状における幅寸法は、螺旋の中心軸Ｃ１の延伸方向に対して直交する方向での寸法であり、図１（ｂ）、図８（ａ）では、紙面の横方向の寸法である。
【００１８】
中心軸Ｃ１の延伸方向における螺旋の第１の端は上端であり、中心軸Ｃ１の延伸方向における螺旋の第２の端は下端である。
【００１９】
ケーブルの分岐部保護具１の断面形状の、上端における幅寸法の値は、たとえば図８（ａ）で示すように「０」になっている。これによって、ケーブルの分岐部保護具１の断面は上端が尖っている。
【００２０】
ケーブルの分岐部保護具１の断面は、上端から下端に向かうにしたがって、幅寸法の値が「０」から連続的に変化して次第に大きくなっている。ケーブルの分岐部保護具１の断面は、螺旋の延伸方向では変形しておらず一定の形状になっている。螺旋の延伸方向とは、螺旋の巻方向、換言すれば、螺旋の道程の延伸方向である。
【００２１】
また、ケーブルの分岐部保護具１の断面において、断面の上端から下側に任意の距離だけ離れたところの幅寸法の値は、上記任意の距離の値よりも小さくなっている。これにより、ケーブルの分岐部保護具１の断面は上端がするどく尖っている。
【００２２】
具体的には、ケーブルの分岐部保護具１の断面形状は、三角形９になっている。この場合、三角形９の下端部に位置している底辺（後述する３つ目の辺）１１を延ばすと、３つ目の辺１１の延長線が、螺旋の中心軸Ｃ１に対して直交しているが、直角に近い角度で交差してもよい。
【００２３】
ケーブルの分岐部保護具１では、図１で示すように、螺旋のピッチｐ１の値が、螺旋の中心軸Ｃ１の延伸方向における断面形状の寸法Ｌ１の値より大きくなっている。なお、ピッチｐ１の値は、寸法Ｌ１の値を２倍した値よりも小さくなっている。
【００２４】
さらに説明すると、ケーブルの分岐部保護具１は、次に示す形状をしている。
【００２５】
図８（ａ）で示すように、一つの平面に、直線（中心軸）Ｃ１と、この直線Ｃ１から所定の距離だけ離れている三角形９を描く。直線Ｃ１は、上下方向に延びている。三角形９は、ケーブルの分岐部保護具１の断面になるものであり、横方向（上下方向に対して直交する方向）の一方の側で直線Ｃ１から離れている。
【００２６】
１つ目の辺１３は、図８（ａ）では、直線Ｃ１と平行になっているが、１つ目の辺１３を延長したときに１つ目の辺１３の延長線が、±２０°以下（好ましくは、±１５°以下、さらに好ましくは、±１０°以下）の小さい角度で直線Ｃ１と交差していてもよい。
【００２７】
三角形９の３つの辺のうちの２つ目の辺１５は、１つ目の辺１３を間にして直線Ｃ１とは反対側で1つ目の辺１３の上端から斜め下方に延びている。これにより、横方向での２つ目の辺１５と直線Ｃ１との間の距離の値は、上端から下端に向かうにしたがって次第に大きくなっている。
【００２８】
三角形９の３つの辺のうちの３つ目の辺１１は、１つ目の辺１３の下端から２つ目の辺１５の下端まで延びている。２つ目の辺１５の長さ寸法の値は、たとえば、１つ目の辺１３の長さ寸法の値よりも僅かに大きくなっている。
【００２９】
すなわち、１つ目の辺１３の長さ寸法の値と、２つ目の辺１５の長さ寸法の値とが、お互いがほぼ等しくなっていてもよい。たとえば、１つ目の辺１３の長さ寸法の値の「１」とした場合、２つ目の辺１５の長さ寸法の値が、「０．８〜１．２」の範囲内になっていてもよい。また、上記範囲を、さらに狭めて「０．９〜１．１」にしてもよいし、「０．９５〜１．０５」にしてもよい。
【００３０】
ケーブルの分岐部保護具１は、三角形９の軌跡であらわされる立体形状になっている。三角形９の軌跡は、三角形９を、直線Ｃ１を回転中心に対して、複数回回転するときに、この回転角度の値に比例させて中心軸Ｃ１の延伸方向に移動したときに得られる軌跡である。
【００３１】
さらに説明すると、三角形９を直線Ｃ１のまわりで１回転させたときにおける三角形９の直線Ｃ１の延伸方向への移動量ｐ１の値は、三角形９の上下方向における寸法Ｌ１の値以上になっている。たとえば、三角形９の上下方向における寸法Ｌ１の値を「１」とすると、三角形９の直線Ｃ１の延伸方向での移動量ｐ１の値は、「１．０〜１．５」の範囲内になっている。なお、三角形９の直線Ｃ１の延伸方向での移動量の範囲をさらに狭めて「１．０〜１．３」にしてもよいし、「１．０〜１．１」にしてもよい。
【００３２】
次に、ケーブルの分岐部保護具１の製造方法について説明する。
【００３３】
図４（ａ）に射出成型機（押し出し成形機）のノズル１７を示す。ノズル１７には、ケーブルの分岐部保護具１の断面形状である三角形９と同じ形状の貫通孔１９が形成されている。ノズル１７から出てきたものを冷却することで、図４（ｂ）で示す三角柱状の中間品２１を得ることができる。
【００３４】
続いて、図５（ａ）で示す治具２３に、図４（ｂ）で示す中間品２１を巻き付けて中間品２１を螺旋状に成形することで、図５（ｂ）、図１（ａ）等で示す螺旋状のケーブルの分岐部保護具１を得ることができる。
【００３５】
治具２３は、中間品２１が巻き付けられる治具本体部２５と中間品２１を加熱するヒータ（図示せず）とを備えている。治具本体部２５は金属等の耐熱性を備えた材料で構成されている。中間品２１を治具本体部２５に螺旋状に巻き付けた後、中間品２１を耐熱テープ２７等の固定材で治具本体部２５に固定し、ヒータで所定の時間加熱する。この後、中間品２１を治具本体部２５から取り外すことで、螺旋状のケーブルの分岐部保護具１を得る。
【００３６】
ここで、図６で示す治具本体部２５の形状について、図７を参照しつつさらに詳しく説明する。治具本体部２５は、外周面が螺旋状の斜面２９になっている円柱状に形成されている。
【００３７】
さらに説明すると、治具本体部２５は、次の形状をしている。
【００３８】
図７（ａ）で示すように、一つの平面に、直線（中心軸）Ｃ１と台形３１を描く。直線Ｃ１は上下方向に延びている。台形３１は、４つの辺３３、３５、３７、３９を備えている、辺３３、３５は台形３１の下底と上底である。下底３３は、上底３５よりも僅かに長くなっている。辺３７、３９は台形３１の斜辺である。斜辺３７は下底３３および上底３５に対して直交している。斜辺３９は下底３３および上底３５に対して斜めに延びている。なお、このような台形３１を一斜辺直角台形と呼ぶことにする。一斜辺直角台形３１の斜辺３７は中心軸Ｃ１に重なっている。
【００３９】
治具本体部２５は、一斜辺直角台形３１の軌跡であらわされる立体形状になっている（図７（ｂ）、（ｃ）参照）。さらに説明すると、一斜辺直角台形３１の軌跡は、一斜辺直角台形３１を、直線Ｃ１を回転中心に対して回転するとともに、この回転角度の値に比例させて中心軸Ｃ１の延伸方向下側に移動したときに得られる軌跡である。
【００４０】
一斜辺直角台形３１を直線Ｃ１のまわりで１回転させたときにおける台形の直線Ｃ１の延伸方向への移動量ｐ２の値は、一斜辺直角台形３１の高さ寸法Ｈ１の値と等しくなっている。なお、移動量ｐ２の値は、ケーブルの分岐部保護具１のピッチｐ１の値とほぼ等しくなっている。
【００４１】
また、図７では、理解を容易にするために治具本体部２５の断面のみを表している。図７（ｂ）は、一斜辺直角台形３１を、直線Ｃ１を回転中心に対して１回転だけした途中の状態を示しており、図７（ｃ）は、一斜辺直角台形３１を複数回回転し終えたときの治具本体部２５の断面を示している。
【００４２】
また、図７（ｃ）では、治具本体部２５に中間品２１を巻き付けた状態を示している。図７（ｂ）や図７（ｃ）からわかるように、一斜辺直角台形３１の斜辺３９が、治具本体部２５の外周の螺旋状の斜面２９を形成している。また、斜面２９に中間品２１が面接触している。
【００４３】
ここで、ブランチケーブル３について詳しく説明する。ブランチケーブル３では、図２で示すように、幹線（主ケーブル）４１の長手方向の所定の部位から分岐線（支線；分岐ケーブル）４３が延伸している。なお、分岐線４３は幹線４１に対してたとえば斜めの方向に延伸している。また、幹線４１から分岐線４３が分岐している部位およびこの部位の近傍の部位は、モールド部７で覆われている。
【００４４】
したがって、１つのブランチケーブル３では、モールド部７から一対の幹線４１（４１Ａ、４１Ｂ）と１本の分岐線４３とが延出している。なお、幹線４１の長手方向が上下方向になっている。また、長手方向に対して直交する平面による幹線４１の断面は、たとえば円形状に形成されている。長手方向に対して直交する平面による分岐線４３の断面も、たとえば円形状に形成されている。
【００４５】
モールド部７は、たとえば、回転楕円体状に形成されている。回転楕円体は、第１の径と第２の径と第３の径とを備えており、第１の径と第２の径とはお互いが等しくなっており、第３の径は、第１の径よりも大きくなっている。
【００４６】
モールド部７は、第１の径と第２の径の延伸方向が幹線４１の長手方向に対して直交する方向と一致しており、第３の径の延伸方向が幹線４１の長手方向と一致している。また、モールド部７の第３の径の延伸方向に延伸している中心軸と幹線４１の中心軸とはお互いが一致している。
【００４７】
なお、モールド部７が長球状等の他の細長い形状に形成されていてもよい。長球状とは、所定の直径の球を所定の距離だけ直線的に移動したときに、上記球の軌跡で得られる形状である。モールド部７が長球状に形成されている場合、モールド部７の上記球の中心の軌跡で表される線分と幹線４１の中心軸とはお互いが一致している。
【００４８】
３つのブランチケーブル３（３Ａ、３Ｂ、３Ｃ）は、お互いが同形状に形成されており、少なくとも一部でお互いが接している。３つのブランチケーブル３（３Ａ、３Ｂ、３Ｃ）は、各幹線４１の長手方向がお互いに一致している。３つのブランチケーブル３（３Ａ、３Ｂ、３Ｃ）は、幹線４１の長手方向で、各モールド部７の位置がお互いに一致している。３つのブランチケーブル３（３Ａ、３Ｂ、３Ｃ）は、各分岐線４３のそれぞれが、モールド部７から斜め下側に延伸している。
【００４９】
ここで、ケーブルの分岐部保護具１のブランチケーブル３への設置について説明する。図２では、３本のブランチケーブル３に１つのケーブルの分岐部保護具１を設置している。なお、１本のブランチケーブル３に１つのケーブルの分岐部保護具１を設置してもよいし、３本以外の複数本のブランチケーブル３に１つのケーブルの分岐部保護具１を設置してもよい。
【００５０】
ケーブルの分岐部保護具１をブランチケーブル３に取り付けるときには、ケーブルの分岐部保護具１を、ブランチケーブル３のモールド部７と、幹線４１におけるモールド部７の近傍の部位とに徐々に巻き付ける。このとき、図３で示すように、ケーブルの分岐部保護具１の断面の幅の寸法の値が小さい側が上側になり、幅寸法の大きい側が下側になっている。
【００５１】
この巻き付けによって、ケーブルの分岐部保護具１でブランチケーブル３のモールド部７とこの近傍の部位とを覆う。このときに、分岐線４３を、ケーブルの分岐部保護具１の間隙４５のところから外に出す。これにより、分岐線４３に邪魔されずにケーブルの分岐部保護具１でモールド部７を覆うことができる。
【００５２】
次に、ケーブルの分岐部保護具１が設置されているブランチケーブル３の建屋５１の床５３の穴５５への設置について説明する。
【００５３】
通常、ブランチケーブル３をビル等の建屋に施工する場合、ブランチケーブル３の上部端末にあるケーブル頭部を、吊り上げ治具等に取り付けウインチ等で上に吊り上げる。ブランチケーブル３のケーブル頭部には、キャップ４７が取り付けられているが、ビニルテープが巻き付けられている等している場合もある。
【００５４】
ブランチケーブル３の吊り上げのときに、図２で示すように、ケーブルの分岐部保護具１を取り付けてあることで、モールド部７の凹凸がケーブルの分岐部保護具１で覆われている。そして、図３で示すように、吊り上げ方向に対してケーブルの分岐部保護具１の外周が斜面４９になっており、ケーブルの分岐部保護具１の外周が、上下方向で滑らかになっているので、ブランチケーブル３の通線性が向上する。すなわち、ブランチケーブル３を、建屋５１の床５３の穴５５に貫通させやすくなっている。
【００５５】
ブランチケーブル３を吊り上げ建屋５１の床５３の穴５５に貫通させた後は、ケーブルの分岐部保護具１をそのままブランチケーブル３に設置しておく。なお、ブランチケーブル３を建屋５１の床５３の穴５５に貫通させた後、ケーブルの分岐部保護具１をブランチケーブル３から取り外してもよい。そして、傷付く等の不具合が無いことを条件にして、ケーブルの分岐部保護具１を再使用してもよい。
【００５６】
さらに説明すると、上述したように、ケーブルの分岐部保護具１は、この断面形状の幅寸法の値が、上端で小さく、下側に向かうにしたがって次第に大きくなっている。
【００５７】
このように構成されているケーブルの分岐部保護具１をブランチケーブル３のモールド部７とこの近傍の部位に巻き付けると、図３で示すように、ケーブルの分岐部保護具１の外周に斜面４９が形成される。モールド部７（分岐部５）を有するブランチケーブル３を吊り上げ建屋５１の床５３にあいている穴５５に通すときに、ケーブルの分岐部保護具１が穴５５の縁に接触することがある。しかし、この接触があっても、ケーブルの分岐部保護具１の外周に斜面４９が穴５５の縁に接触するので、穴５５の縁にケーブルの分岐部保護具１と分岐部５とが引っ掛かることが防止される。
【００５８】
そして、モールド部７が損傷することが回避され、引っ掛かった衝撃によって吊り上げ治具からブランチケーブル３が抜けてしまい、ブランチケーブル３が落下することが回避される。
【００５９】
すなわち、モールド部７の引っ掛かりを防ぐことができので、引っ掛かった衝撃で吊り上げ治具に負荷がかかることが回避され、ブランチケーブル３が吊り上げ治具から抜けて落下する事態に発生を防ぐことができる。
【００６０】
また、モールド部７の凹凸が覆われたことで、吊り上げのときにモールド部７が天井面に引っ掛かることがなくなり、モールド部７が損傷することがなくなる。さらに、吊り上げ自体もスムーズに行うことができ、吊り上げ施工をするときに、補助者を必要とせず、省施工化がなされる。
【００６１】
図９で示す比較例では、ケーブルの分岐部保護具１を使用することなく、床５３にあいている穴５５にブランチケーブル３を通し、ブランチケーブル３を吊り上げている。この状態では、ブランチケーブル３の幹線４１に対して外径が大きくなっているモールド部７が、穴５５の縁等に引っ掛かってしまう。
【００６２】
図１０で示す比較例に係るケーブルのモールド保護具５７では、断面形状が四角形になっている。これにより、ブランチケーブル３を保護する効果を持たせるために、断面にある程度の厚み（幅寸法）が必要になる。しかし、断面形状が四角形で厚みが増すと、ブランチケーブル３を吊り上げるときに、比較例に係るケーブルのモールド保護具５７が天井５３にあいている穴５５の縁に引っ掛かるおそれが高くなる。そして、ケーブルのモールド保護具５７もっとも重要な機能であるブランチケーブル３の通線性を悪くしてしまう。
【００６３】
これに対して、本考案の実施形態に係るケーブルの分岐部保護具１では、断面の形状が、吊り上げ方向上側で薄く、下側で厚くなっている。これにより、天井面にあたるときの抵抗を小さくすることができる。すなわち、天井５３にあいている穴５５の縁にケーブルの分岐部保護具１があたっても、ケーブルの分岐部保護具１の外周が、進行方向に対して角度のある斜面４９になっているので、引っ掛かりを防止して、ブランチケーブル３をスムーズに吊り上げることができる。
【００６４】
また、ケーブルの分岐部保護具１の断面形状において、下側での厚さをある程度厚くすることで、ケーブルの分岐部保護具１の強度が増し分岐部５を保護する効果を得ることができる。
【００６５】
また、ケーブルの分岐部保護具１によれば、断面形状が三角形になっているので、ケーブルの分岐部保護具１をブランチケーブル３のモールド部７とこの近傍の部位に巻き付けたときに、ケーブルの分岐部保護具１の外周に滑らかな斜面４９を形成することができる。
【００６６】
また、ケーブルの分岐部保護具１では、螺旋のピッチｐ１の値が螺旋の中心軸Ｃ１の延伸方向における断面形状の寸法Ｌ１の値より大きくなってので、螺旋状の間隙４５が形成されている。このように間隙４５が形成されていることで、ケーブルの分岐部保護具１をブランチケーブル３のモールド部７とこの近傍の部位に巻き付けたときに、分岐線４３を間隙４５の間から延出させることができる。そして、ケーブルの分岐部保護具１のブランチケーブル３への設置がしやすくなる。
【００６７】
ところで上記説明では、図８（ａ）で示すように、ケーブルの分岐部保護具１の断面形状が三角形になっているとしているが、断面形状を図８（ｂ）〜図８（ｆ）で示すように変えてもよい。
【００６８】
図８（ａ）で示す態様では、断面の下端で断面の幅寸法の値が最大値になった後に、幅寸法の値が一気に「０」になっている。図８（ｂ）で示す態様では、幅寸法の値が最大値になった箇所よりもさらに下側で、下方に向かうにしたがって、幅寸法の値が次第に小さくなっている。ただし、この場合、幅寸法の値が大きくなる割合の絶対値は、幅寸法の値が小さくなる割合の絶対値よりも小さくなっている。
【００６９】
すなわち、図８（ａ）で示す態様では、三角形９の第３の辺１１が中心軸Ｃ１と直交しているが、図８（ｂ）で示す態様では、三角形９の第３の辺１１が中心軸Ｃ１に対して斜めに傾いている。
【００７０】
図８（ｃ）で示す態様では、図８（ｂ）で示す態様と逆向きで、三角形９の第３の辺１１が傾いている。図８（ｄ）で示す態様では、断面形状が台形等の矩形状になっている。たとえば、一斜辺直角台形になっている。ただし、台形の上底の寸法Ｌ２の値は、極力小さくなっている。たとえば、寸法Ｌ２の値は、５ｍｍ以下になっているが、好ましくは３ｍｍ以下、さらに好ましくは、２ｍｍ以下になっている。
【００７１】
図８（ｅ）で示す態様では、断面の上端部が円弧状に丸められている。円弧の半径の値は、極力小さくなっている。たとえば、円弧の半径の値は、５ｍｍ以下になっているが、好ましくは３ｍｍ以下、さらに好ましくは、２ｍｍ以下になっている。
【００７２】
図８（ａ）（ｂ）（ｃ）（ｄ）（ｅ）で示す態様では、幅寸法が大きくなる割合、幅寸法が小さくなる割合が、一定になっているが、幅寸法が大きくなる割合、幅寸法が小さくなる割合が、一定でなく、次第に滑らかに変化していてもよい。たとえば、図８（ｆ）で示す態様では、幅寸法が大きくなる割合が次第に減るようにして幅寸法が変化している。
【００７３】
以上、本実施形態を説明したが、本実施形態はこれらに限定されるものではなく、本実施形態の要旨の範囲内で種々の変形が可能である。
【符号の説明】
【００７４】
１  ケーブルの分岐部保護具
９  三角形
Ｃ１  螺旋の中心軸
Ｌ１  断面形状の寸法
ｐ１  螺旋のピッチ
【図１】
0003225687.tif 000003
【図２】
0003225687.tif 000004
【図３】
0003225687.tif 000005
【図４】
0003225687.tif 000006
【図５】
0003225687.tif 000007
【図６】
0003225687.tif 000008
【図７】
0003225687.tif 000009
【図８】
0003225687.tif 000010
【図９】
0003225687.tif 000011
【図１０】
0003225687.tif 000012